(57)【要約】【課題】  単相交流電源にて、漏洩電流の検出または測定するクランプ型の機器を使用する場合に用いることができる安全かつ小型化、軽量化が可能で安価な単相三相擬似電流生成装置ユニットを提供すること。【解決手段】  漏洩電流を検出または測定するクランプ部（３１）を有するクランプ型の機器（３０）を評価する装置において、外枠（２，３）と、単相交流電源入力部（４）と、電圧変換部（２１）、位相調整部（２２）、電圧出力調整部（２３）、擬似電流生成部（２４）からなる単相三相擬似電流生成装置（２０）と、前記擬似電流生成部で生成する擬似電流を単相または三相に切換える切換部（５）と、直流電源（１４）と、被クランプ部（１２）と、前記単相交流電源の電圧を出力する基準電圧出力部（１０，１１）と、を具備するように構成した。【選択図】図４
2013051802.tif 000002
【特許請求の範囲】
【請求項１】
漏洩電流を検出または測定するクランプ部を有するクランプ型の機器を評価する装置において、
外枠（２，３）と、前記外枠の表面または内方には、単相交流電源を入力する単相交流電源入力部（４）と、
前記単相交流電源から入力された電圧を弱電化する電圧変換部（２１）、前記電圧変換部にて弱電化された単相交流電圧の位相を任意の位相角に調整する位相調整部（２２）、前記三相に変換された各相のそれぞれの電圧を出力調整する電圧出力調整部（２３）、前記調整された電圧から単相または三相の擬似電流を生成する擬似電流生成部（２４）からなる単相三相擬似電流生成装置（２０）と、
前記擬似電流生成部で生成する擬似電流を単相または三相に切換える切換部（６）と、
前記単相三相擬似電流生成装置を作動させる直流電源（１４）と、
前記クランプ型の機器のクランプ部をクランプさせる被クランプ部（１２）と、
前記単相交流電源の電圧を出力する基準電圧出力部（１０，１１）と、
を具備したことを特徴とする単相三相擬似電流生成装置ユニット。
【請求項２】
前記擬似電流生成部は、任意に結線可能な結線部（２６）と、前記結線部の一相から出力された電圧に負荷を与える負荷回路部（２７）と、で構成したことを特徴とする請求項１に記載の単相三相擬似電流生成装置ユニット。
【請求項３】
前記結線部をデルタ結線としたことを特徴とする請求項２に記載の単相三相擬似電流生成装置ユニット。
【請求項４】
前記結線部をスター結線としたことを特徴とする請求項２に記載の単相三相擬似電流生成装置ユニット。
【請求項５】
前記負荷回路部は、抵抗（３８）またはコンデンサ（３９）の１つもしくは複数で構成したことを特徴とする請求項２に記載の単相三相擬似電流生成装置ユニット。
【発明の詳細な説明】
【技術分野】
【０００１】
本発明は、単相交流電源にて、漏洩電流の検出または測定するクランプ型の機器を使用する場合に用いることができる安全かつ小型化、軽量化が可能で安価な単相三相擬似電流生成装置ユニットに関する。
【背景技術】
【０００２】
従来、単相交流電源しかない場所では、三相用のクランプ型漏洩電流検出器または漏洩電流測定器を使用することができなかった。従って、三相用のクランプ型漏洩電流検出器または漏洩電流測定器の評価をする場合、三相電源の設備が必要であり、評価する場所が限られていた。
また、このような場所は１００ｖから４４０ｖの高電圧であるため、評価する際、危険をともなう作業となる可能性もあった。
【０００３】
ところで、単相交流電圧を三相交流電圧に変相する変相装置としては、種々のものが提案されている。
【０００４】
例えば、特開平５−４９２６０号公報には次のような変相装置が開示されている。
すなわちこの公報には、単相電流電力（単相交流電源）を直流電力に変換するコンバータ１と、そのコンバータ１よりの直流電力を交流電力に変換するインバータ２及びそのインバータ２に対して３相電力を発生させるよう制御する３相発生回路３によりなるそとこの単相電力を３相に変換する変相器の開示がある。
当該公報には記載されていないが、一般的には、このような変相器であると、安価にするためPWM（パルス幅変調）をおこなっており、PWMであると電圧及び電流を正確に測定することはできないという問題があった。
【０００５】
また、特開２００７−８２２６９号公報には次のような変相装置も開示されている。
すなわちこの公報には、３相交流電圧入力用の端子１１Ｃ、１１D、１２Ｃと、単相交流電圧出力用の端子１１Ｅ、１１Ｆと、端子１１Ｅ、１１Ｆに比べて位相の進んだ単相交流電圧出力用の端子１２Ｄ、１２Ｅとを具備し、端子１１Ｅ、１１Ｆ間に単相交流電圧が加えられるスコット結線変圧器１と、端子１１Ｅ、１１Ｆ間に加えられる単相交流電圧の電圧ベクトルＶの位相を進めて、スコット結線変圧器１の端子１２Ｄ、１２Ｅ間に電圧ベクトルＶ１の単相交流電圧を加えるコンデンサ２と、端子１１Ｃ、１１Ｄ、１２Ｃに接続されて、３相交流電圧を発生させる負荷抵抗３Ａ〜３Ｃとを備えるとの開示がある。
このような装置であると、３相交流電圧を生成することはできるが、弱電化されていないため１００V以上の高い電圧のままであり、この電圧に対応するコイル、トランス等は大きく重いものとなってしまい装置の小型化、軽量化が困難であった。また、１００V以上の電圧であるため、微調整が難しいという問題もあった。
【先行技術文献】
【特許文献】
【０００６】
【特許文献１】特開平５−４９２６０号公報
【特許文献２】特開２００７−８２２６９号公報
【発明の概要】
【発明が解決しようとする課題】
【０００７】
そこで、本発明は、単相交流電源にて、クランプ型漏洩電流検出器または漏洩電流測定器を使用する場合に用いることができる安全かつ小型化、軽量化が可能で安価な単相三相電流生成装置を提供することを目的とする。
【課題を解決するための手段】
【０００８】
本発明は、漏洩電流を検出または測定するクランプ部を有するクランプ型の機器を評価する装置において、外枠と、前記外枠の表面または内方には、単相交流電源を入力する単相交流電源入力部と、前記単相交流電源から入力された電圧を弱電化する電圧変換部、前記電圧変換部にて弱電化された単相交流電圧の位相を任意の位相角に調整する位相調整部、前記三相に変換された各相のそれぞれの電圧を出力調整する電圧出力調整部、前記調整された電圧から単相または三相の擬似電流を生成する擬似電流生成部からなる単相三相擬似電流生成装置と、前記擬似電流生成部で生成する擬似電流を単相または三相に切換える切換部と、前記単相三相擬似電流生成装置を作動させる直流電源と、前記クランプ型の機器のクランプ部をクランプさせる被クランプ部と、前記単相交流電源の電圧を出力する基準電圧出力部と、を具備した構成としている。
【０００９】
また、前記擬似電流生成部は、任意に結線可能な結線部と、前記結線部の一相から出力された電圧に負荷を与える負荷回路部と、で構成としてもよい。
【００１０】
さらに、前記結線部をデルタ結線にするとよい。
【００１１】
また、前記結線部をスター結線にしてもよい。
【００１２】
さらに、前記負荷回路部は、抵抗またはコンデンサの１つもしくは複数で構成してもよい。
【発明の効果】
【００１３】
本発明の単相三相擬似電流生成装置ユニットは、外枠と、前記外枠の表面または内方には、単相交流電源を入力する単相交流電源入力部と、前記単相交流電源から入力された電圧を弱電化する電圧変換部、前記電圧変換部にて弱電化された単相交流電圧の位相を任意の位相角に調整する位相調整部、前記三相に変換された各相のそれぞれの電圧を出力調整する電圧出力調整部、前記調整された電圧から単相または三相の擬似電流を生成する擬似電流生成部からなる単相三相擬似電流生成装置と、前記擬似電流生成部で生成する擬似電流を単相または三相に切換える切換部と、前記単相三相擬似電流生成装置を作動させる直流電源と、前記クランプ型の機器のクランプ部をクランプさせる被クランプ部と、前記単相交流電源の電圧を出力する基準電圧出力部と、を具備したことにより、装置を小型化、軽量化かつ安価にすることができ、単相交流電源にて、クランプ型漏洩電流検出器または漏洩電流測定器を安全に評価することができる。
【００１４】
また、前記擬似電流生成部は、任意に結線可能な結線部と、前記結線部の一相から出力された電圧に負荷を与える負荷回路部と、で構成すると、様々な機器の測定や評価を簡単に行うことができ、評価の対象物を拡大することができる。
【００１５】
さらに、前記結線部をデルタ結線にするとデルタ結線用の機器を測定や評価をすることができる。
【００１６】
また、前記結線部をスター結線にするとスター結線用の機器を測定や評価をすることができる。
【００１７】
また、前記負荷回路部は、抵抗またはコンデンサの１つもしくは複数で構成するとIgc（対地静電容量）、Igr（対地絶縁抵抗）を測定することができる。また、抵抗またはコンデンサの変更は容易にできるため、その調整を簡単にすることができる。
【図面の簡単な説明】
【００１８】
【図１】本発明の単相三相擬似電流生成装置ユニットの斜視図
【図２】本発明の単相三相擬似電流生成装置ユニットの平面図
【図３】単相交流電源と単相三相擬似電流生成装置のブロック図
【図４】三相デルタ結線の結線図を盛込んだブロック図
【図５】三相デルタ結線の波形を示した説明図
【図６】三相デルタ結線の波形を示した説明図
【図７】三相スター結線の結線図を盛込んだブロック図
【図８】三相スター結線の波形を示した説明図
【図９】単相の結線図を盛込んだブロック図
【図１０】単相結線の波形を示した説明図
【発明を実施するための形態】
【００１９】
以下、本発明を実施するための最良の形態を、図面を参照して説明する。図１は本発明の単相三相擬似電流生成装置ユニット１を示す斜視図であり、図２は本発明の単相三相擬似電流生成装置ユニット１を示す平面図である。図１及び図２の如く、前記単相三相擬似電流測定装置ユニット１は、上板２と下枠３の外枠で覆われている。
【００２０】
略矩形状のアクリル樹脂からなる前記上板２には、インレット４、第一スイッチ５、第二スイッチ６、Ｔ相用端子７、Ｒ相用端子８、Ｓ相用端子９、基準電圧Ｒ相（Ａ相）端子１０、基準電圧Ｔ相（Ｎ相）端子１１及びクランプ用ワイヤ１２が取着されている。なお、本実施の形態では上板２にアクリル樹脂を使用しているが、これに限定されるものではない。
【００２１】
前記上板２と同様に略矩形状のアクリル材からなる前記下枠３には、回路基板１３、直流電源１４が取着されている。前記上板２に取り付けられている各部品及び直流電源１４は、前記回路基板１３と図示しないワイヤで結線されている。なお、上板２と同様に本実施の形態では下枠３にアクリル樹脂を使用しているが、これに限定されるものではない。
【００２２】
前記インレット４は、単相交流電源の入力部であり単相交流電源のコンセントにつなぐ電源コード（図示せず）を差し込むものである。前記第一スイッチ５は、前記単相交流電源の通電（オン）、遮断（オフ）を切換えるスイッチである。前記第二スイッチ６は、擬似三相電流または擬似単相電流を切換えるスイッチである。
【００２３】
前記Ｔ相用端子７、前記Ｒ相用端子８及び前記Ｓ相用端子９は、単相または三相の擬似電流の波形を出力する端子である。なお、本実施の形態では、三相３線式に対応するようにしているため、３つの端子を設けているが、これに限定されるものではなく、三相４線式に対応するように４つの端子を設けても良い。
【００２４】
前記基準電圧Ｒ相（Ａ相）端子１０及び基準電圧Ｔ相（Ｎ相）端子１１は、単相交流電源の電圧を出力する端子である。これらの端子１０，１１には、後述する漏洩電流測定器３０の電圧入力部３２から出されたワイヤに接続される。
【００２５】
前記クランプ用ワイヤ１２は被クランプ部であり、クランプ用ワイヤ１２に後述する漏洩電流測定器３０のクランプ部３１をクランプする。
【００２６】
前記回路基板１３は、後述する単相三相擬似電流生成装置２０に必要な電子部品が配置される。
【００２７】
前記直流電源１４は、後述する前記単相三相擬似生成装置２０を作動させる電源である。
【００２８】
図３は、本発明の単相三相擬似生成装置２０を示すブロック図である。図３に示す如く、前記単相三相擬似電流生成装置２０は、電圧変換部２１、位相調整部２２、電圧出力調整部２３及び擬似電流生成部２４にて構成されている。
【００２９】
前記電圧変換部２１は、一般的な抵抗又はトランスによって構成され、単相交流電源２５の１００ｖの電圧を５ｖ程度に減衰させて弱電化する。なお、本実施の形態では５ｖに減衰させているが、この電圧に限定されるものではない。
【００３０】
前記位相調整部２２は、位相を任意の位相角に調整する。例えば、三相デルタ結線であれば位相角を６０°づつずらして調整し、スター結線であれば位相角を１２０°づつずらして調整する。また、単相であれば位相角を０°で調整する。この位相調整部２２により、単相から三相へ相変換することができるとともに、位相角を０°で調整することにより単相にすることもできる。
【００３１】
前記電圧出力調整部２３は、アンプすなわち増幅回路であり、前記位相調整部２２にて出力された単相又は三相の電圧値をそれぞれ０ｖから７ｖ程度に調整して出力する。
【００３２】
前記擬似電流生成部２４は、結線部２６と負荷回路部２７とで構成されている。該結線部２６は、例えば、デルタ結線やスター結線、あるいは単相にて結線することができ、複数の結線に対応することが可能である。
前記負荷回路部２７は、一般的な抵抗又はコンデンサ（図４参照）によって構成され、任意の負荷をかけることができる。
【００３３】
クランプ型の漏洩電流（電圧）測定器３０は、漏洩電流を測定するクランプ部３１と、基準電圧を測定する電圧入力部３２と、演算回路部３３とを有している。本実施の形態では、クランプ型の漏洩電流（電圧）測定器を対地絶縁抵抗に起因する漏洩電流（Igr）測定器としているが、これに限定するものではない。
【００３４】
前記漏洩電流（電圧）測定器３０は、前記クランプ部３１を前記擬似電流生成部２４の負荷回路部２７と結線部２６との間をクランプし漏洩電流を測定するとともに、電圧入力部３２に前記単相交流電源２５から１００ｖの電圧を入力し、前記漏洩電流と前記単相交流電源２５の基準電圧とを前記演算回路部３３にて演算し、漏洩電流（Igr）を算出する。
【００３５】
次に擬似電流生成部の第一の実施形態である三相デルタ結線を、図４を参照して説明する。図４は、擬似電流生成部２４を具体的な結線図で示した第一の実施形態である。この第一の実施形態は、一般的な漏洩電流（Igr）測定器であるS相とR相で基準電圧を計測する三相デルタ結線製品用とした構成である。図４の如く、前記擬似電流生成部２４をデルタ結線擬似電流生成部２４ａとし、前記結線部２６をデルタ結線部２６ａとし、前記負荷回路部２７をデルタ結線負荷回路部２７ａとしている。
【００３６】
前記デルタ結線擬似電流生成部２４ａは、デルタ結線部２６ａとデルタ結線負荷回路部２７ａとで構成されている。
前記デルタ結線部２６ａは、Ｓ相３５、Ｒ相３６、Ｔ相３７で形成され、前記デルタ結線負荷回路部２７ａは複数の抵抗３８及びコンデンサ３９で形成されている。本実施の形態における抵抗３８は１００Ω２W品を使用し、コンデンサ３９は２２μF２５ｖ品を使用している。これらは一般的なものであり安価で容易に入手できるものである。また、抵抗３８及びコンデンサ３９のサイズは、これらに限定されるものではない。
【００３７】
結線方法は、前記デルタ結線部２６ａのＳ相３５をグランドとし、Ｒ相３６、Ｔ相３７をそれぞれ前記デルタ結線負荷回路部２７ａと接続させている。このような結線において、前記電圧変換部２１で弱電化された電圧が前記位相調整部２２に出力される。前記位相調整部２２はＳ相３５をグランドとしてR相３６とＴ相３７の波形を観測して位相を調整する。これらＳ相３５、Ｒ相３６、Ｔ相３７の出力を前記単相三相擬似電流生成装置ユニット１のＳ相用端子９、Ｒ相用端子８、Ｔ相用端子７から抽出し、オシロスコープ等により波形を出しながら図示しないボリュウム等により波形を調整する。図５に示す波形は、位相調整部２２にて位相を調節した波形である。デルタ結線波形４０は単相交流電源の１／１０倍の波形を示している。デルタ結線波形４１はＳ相−R相間の波形を示している。デルタ結線波形４２はＲ相−Ｔ相間の波形を示している。デルタ結線波形４３はＴ相−Ｓ相間の波形を示している。
【００３８】
デルタ結線波形（Ｓ相−R相）４１はデルタ結線波形（単相交流電源）４０と同じ位相で調節され、デルタ結線波形（Ｒ相−Ｔ相）４２はデルタ結線波形（Ｓ相−R相）４１から１２０°進んで調節され、デルタ結線波形（Ｔ相−Ｓ相）４３はデルタ結線波形（Ｓ相−R相）４１から２４０°進んで調節されている。これらの波形を生成することにより、擬似的に三相電圧を出力することができる。
【００３９】
また、同じ結線においても、Ｔ相とＲ相で基準電圧を計測する三相デルタ結線製品用の漏洩電流（Igr）測定器もある。本発明の擬似電流生成部では、このようにＴ相とＲ相で基準とする漏洩電流（Igr）測定器にも簡単に対応することができる。図６に示す波形は位相調整部２２にて位相を調節した波形である。デルタ結線波形４４は単相交流電源の１／１０倍の波形を示している。デルタ結線波形４５はＳ相−R相間の波形を示している。デルタ結線波形４６はＲ相−Ｔ相間の波形を示している。デルタ結線波形４７はＴ相−Ｓ相間の波形を示している。
【００４０】
デルタ結線波形（Ｓ相−R相）４５はデルタ結線波形（単相交流電源）４４から６０°進んで調節され、デルタ結線波形（Ｒ相−Ｔ相）４６はデルタ結線波形（単相交流電源）４４から１８０°進んで調節され、デルタ結線波形（Ｔ相−Ｓ相）４７はデルタ結線波形（単相交流電源）４４から３２０°進んで調節されている。これらの波形を生成することにより、擬似的に三相電圧を出力することができる。
【００４１】
この擬似的に出力された三相電圧を前記電圧出力調整部２３にて再度５ｖに電圧調整し、前記擬似電流生成部２４ａに入力すると、擬似電流生成部２４ａにて擬似的に漏洩電流を生成する。そして、前記クランプ用ワイヤ１２を前記測定器３０のクランプ部３１でクランプすると、漏洩電流を計測することができる。
【００４２】
次に擬似電流生成部の第二の実施形態である三相４線スター結線を、図７を参照して説明する。図７は、擬似電流生成部２４を具体的な結線図で示した第二の実施形態である。この第二の実施形態は、漏洩電流（Igr）測定器のひとつであるＮ相とR相で基準電圧を計測する三相４線スター結線製品用とした構成である。図７の如く、前記擬似電流生成部２４をスター結線擬似電流生成部２４ｂとし、前記結線部２６をスター結線部２６ｂとし、前記負荷回路部２７をスター結線負荷回路部２７ｂとしている。なお、第一の実施形態と差異がない箇所は同じ符号としている。
【００４３】
前記スター結線擬似電流生成部２４ｂは、スター結線部２６ｂとスター結線負荷回路部２７ｂとで構成されている。
前記スター結線部２６ｂは、Ｎ相５０、Ｒ相５１、Ｔ相５２、Ｓ相５３で形成され、前記スター結線負荷回路部２７ｂは複数の抵抗３８及びコンデンサ３９で形成されている。本実施の形態における抵抗３８及びコンデンサ３９は、第一の実施形態と同じとしているが、これに限定されるものではない。
【００４４】
結線方法は、前記スター結線部２６ｂのＮ相５０をグランドとし、Ｒ相５１、Ｔ相５２、Ｓ相５３をそれぞれ前記スター結線負荷回路部２７ｂと接続させている。このような結線において、前記電圧変換部２１で弱電化された電圧が前記位相調整部２２に出力される。前記位相調整部２２はＮ相５０をグランドとしてR相５１とＴ相５２とＳ相５３の波形を観測して位相を調整する。これらＮ相５０、Ｒ相５１、Ｔ相５２、Ｓ相５３の出力を前記単相三相擬似電流生成装置ユニット１の端子から抽出し、オシロスコープ等により波形を出しながらボリュウム等により波形を調整することになるが、図１及び図２の単相三相擬似電流生成装置ユニット１は、三相３線式用であるため図示されていない。図８に示す波形は、位相調整部２２にて位相を調節した波形である。スター結線波形５５は単相交流電源の１／１０倍の波形を示している。スター結線波形５６はＮ相−R相間の波形を示している。スター結線波形５７はＮ相−Ｔ相間の波形を示している。スター結線波形５８はＮ相−Ｓ相間の波形を示している。
【００４５】
スター結線波形（Ｎ相−R相）５６はスター結線波形（単相交流電源）５５と同じ位相で調節され、スター結線波形（Ｒ相−Ｔ相）５７はスター結線波形（Ｎ相−Ｒ相）５６から１２０°進んで調節され、スター結線波形（Ｎ相−Ｓ相）５８はスター結線波形（Ｎ相−R相）５６から２４０°進んで調節されている。これらの波形を生成することにより、擬似的に三相電圧を出力することができる。
【００４６】
この擬似的に出力された三相電圧を前記電圧出力調整部２３にて再度５ｖに電圧調整し、前記擬似電流生成部２４ｂに入力すると、擬似電流生成部２４ｂにて擬似的に漏洩電流を生成する。そして、前記クランプ用ワイヤ１２を前記測定器３０のクランプ部３１でクランプすると、漏洩電流を計測することができる。
【００４７】
なお、第二の実施の形態では、Ｎ相とR相で基準電圧を計測する形態を示したが、これに限るものではなく、Ｔ相とＲ相、またはＲ相とＳ相等、簡単に様々な組合せで基準電圧を計測することができる。
【００４８】
次に擬似電流生成部の第三の実施形態である単相結線を、図９を参照して説明する。図９は、擬似電流生成部２４を具体的な結線図で示した第三の実施形態である。この第三の実施形態は、一般的な漏洩電流（Igr）測定器であるＡ相とＮ相で基準電圧を計測する単相結線製品用とした構成である。図９の如く、前記擬似電流生成部２４を単相結線擬似電流生成部２４ｃとし、前記結線部２６を単相結線部２６ｃとし、前記負荷回路部２７を単相結線負荷回路部２７ｃとしている。
【００４９】
前記単相結線擬似電流生成部２４ｃは、単相結線部２６ｃと単相結線負荷回路部２７ｃとで構成されている。
前記単相結線部２６ｃは、Ａ相６０、Ｎ相６１で形成され、前記単相結線負荷回路部２７ｃは複数の抵抗３８及びコンデンサ３９で形成されている。本実施の形態における抵抗３８及びコンデンサ３９は、第一の実施形態と同じとしているが、これに限定されるものではない。
【００５０】
結線方法は、前記単相結線部２６ｃのＮ相６０をグランドとし、Ａ相６１を前記単相結線負荷回路部２７ｃと接続させている。このような結線において、前記電圧変換部２１で弱電化された電圧が前記位相調整部２２に出力される。前記位相調整部２２はＮ相６０をグランドとしてＡ相６１の波形を観測して位相を調整する。これらＮ相６０、Ａ相６１の出力を前記単相三相擬似電流生成装置ユニット１のＲ相用端子８、Ｔ相用端子７から抽出し、オシロスコープ等により波形を出しながら図示しないボリュウム等により波形を調整する。図１０に示す波形は、位相調整部２２にて位相を調節した波形である。単相結線波形６３は単相交流電源の１／１０倍の波形を示している。単相結線波形６４はＮ相−Ａ相間の波形を示している。
【００５１】
単相結線波形（Ｎ相−Ａ相）６４は単相結線波形（単相交流電源）６３から９０°進んで調節されている。この波形を生成することにより、擬似的に単相電圧を出力することができる。
【００５２】
この擬似的に出力された単相電圧を前記電圧出力調整部２３にて再度５ｖに電圧調整し、前記擬似電流生成部２４ｃに入力すると、擬似電流生成部２４ｃにて擬似的に漏洩電流を生成する。そして、前記クランプ用ワイヤ１２を前記測定器３０のクランプ部３１でクランプすると、漏洩電流を計測することができる。
【００５３】
以上の構成によれば、単相三相擬似電流生成装置２０によって単相、三相の擬似電流を生成することができるので、単相交流電源を使用して、クランプ部を有するクランプ型の漏洩電流検出器または測定器等の機器を評価できるばかりではなく、装置を小型化、軽量化かつ安価に提供でき、さらに安全に機器を評価することができる。
【００５４】
また、前記擬似電流生成部は、三相デルタ、三相スター、単相結線のように任意に結線可能な結線部と、前記結線部の一相から出力された電圧に負荷を与える負荷回路部と、で構成すると、様々な機器の測定や評価を簡単に行うことができ、評価の対象物を拡大することができる。
【００５５】
また、前記負荷回路部は、抵抗またはコンデンサの１つもしくは複数で構成するとIgc（対地静電容量）、Igr（対地絶縁抵抗）を測定することができる。さらに、抵抗またはコンデンサの変更は容易にできるため、その調整を簡単にすることができる。
【符号の説明】
【００５６】
２              上板
３              下枠
４              インレット
６              第二スイッチ
１０            基準電圧Ｒ相（Ａ相）端子
１１            基準電圧Ｔ相（Ｎ相）端子
１２            クランプ用ワイヤ
１４            直流電源
２０            単相三相擬似電流生成装置
２１            電圧変換部
２２            位相変換部
２３            電圧出力部
２４            擬似電流生成部
２６            結線部
２７            負荷回路部
３８            抵抗
３９            コンデンサ
【図１】
2013051802.tif 000003
【図２】
2013051802.tif 000004
【図３】
2013051802.tif 000005
【図４】
2013051802.tif 000006
【図５】
2013051802.tif 000007
【図６】
2013051802.tif 000008
【図７】
2013051802.tif 000009
【図８】
2013051802.tif 000010
【図９】
2013051802.tif 000011
【図１０】
2013051802.tif 000012